(57)【要約】【課題】  構成を簡略化することによりコストを低減することができ、しかも、着脱操作を簡略化することができるベルトを提供する。【解決手段】  ベルトは、一対の半ベルト１、２によって構成される。半ベルト１、２の先端側には、ズボン１０の前方に形成されたベルト通し１１、１２に係止するためのストッパー部３、６が設けられ、後端側には結合具４、７が設けられている。さらに、ストッパー部３、６と結合具４、７との間に弾性ベルト５、８が設けられている。そして、この半ベルト１、２のストッパー部３、６をそれぞれベルト通し１１、１２に係止し、半ベルト１、２の各後端側に設けられた結合具４、７によりズボン１０の後方側で結合すると、ストッパー部３、６と結合具４、７との間を弾性ベルト５、８の弾力により引き合うことによりズボン１０に装着される。【選択図】      図１
2008095248.tif 000002
【特許請求の範囲】
【請求項１】
先端側にズボンの前方に形成されたベルト通しに係止するためのストッパー部を設けると共に後端側に結合具を設け、上記ストッパー部と結合具との間に弾性ベルトを設けた一対の半ベルトによって構成され、
この半ベルトの上記ストッパー部はそれぞれ上記ベルト通しに係止されると共に、上記半ベルトの各後端側に設けられた上記結合具は上記ズボンの後方側で結合され、上記ストッパー部と結合具との間を上記弾性ベルトの弾力により引き合うように装着されることを特徴とするベルト。
【請求項２】
半ベルトの先端側に設けられたストッパー部は、ベルト通しよりも大きい外径を有するバックル、または、ベルト通しに掛けるフックにより構成された請求項１に記載のベルト。
【請求項３】
半ベルトの後端側に設けられた結合具は、ワンタッチバックルの雄雌が各々設けられたり、または、ズボンの後方側に形成されたベルト通しに掛けるフック、スナップボタン、或いは、面ファスナーにより構成された請求項１または２に記載のベルト。
【発明の詳細な説明】
【技術分野】
【０００１】
本発明は、弾性を有するベルトを装着したままズボンの着脱を可能にしたベルトに関するものである。
【背景技術】
【０００２】
ズボンを装着したときには、長尺のベルトをズボンのベルト通しに通した後に、バックルにベルトを通して長さを調整すると共に止着することにより、ズボンのずり落ちを防止していた。
【０００３】
しかし、ズボンを上げ下ろしする際には、ベルトの着脱を必ず行わななければならず、幼児や老人或いは手の不自由な人にとっては困難且つ面倒な作業であり、場合によっては介添えを必要とするなどの問題があった。
【０００４】
そこで、本出願人は、上述した問題を解消するため、実用新案登録第３０８８５９２号（特許文献１）により、装着したままズボンが着脱可能なベルトを提案した。すなわち、このベルトは、雌側に固定機能の付いたワンタッチバックル一対と雄側に固定機能の付いたワンタッチバックル一対をベルト紐の両端に付け、ズボン前部にある左右のベルト通しをそれぞれ挟む形で装着し、ベルト通し２点で引き合うことによりズボンのずり落ちを防止するようにしている。このベルトによれば、ボタンやジッパーをベルトが邪魔することなく操作できる特徴を有している。
【特許文献１】実用新案登録第３０８８５９２号公報
【発明の開示】
【発明が解決しようとする課題】
【０００５】
しかし、特許文献１に示されるベルトは、ベルト紐の両端に一方のワンタッチバックル各々を各々付けた本体と、ズボンのベルト通しより幅を広く形成すると共に、他方のワンタッチバックル各々を各々付けた２つのストッパーバックルからなる３つのパーツを使用するために、構成が複雑になり、コストが高くなる問題があった。また、ベルト紐側のワンタッチバックルと一方のストッパーバックル側のワンタッチバックルを連結した後、更に他方のストッパーバックル側ワンタッチバックルとベルト紐側ワンタッチバックルを連結するといった２回の操作が必要であり、着脱操作が煩雑になる問題もあった。
【０００６】
そこで、本発明の課題は、構成を簡略化することによりコストを低減することができ、しかも、着脱操作を簡略化することができるベルトを提供することである。
【課題を解決するための手段】
【０００７】
上記の課題を達成するため、本発明のベルトは、先端側にズボンの前方に形成されたベルト通しに係止するためのストッパー部を設けると共に後端側に結合具を設け、上記ストッパー部と結合具との間に弾性ベルトを設けた一対の半ベルトによって構成され、この半ベルトの上記ストッパー部はそれぞれ上記ベルト通しに係止されると共に、上記半ベルの各後端側に設けられた上記結合具は上記ズボンの後方側で結合され、上記ストッパー部と結合具との間を上記弾性ベルトの弾力により引き合うように装着されることを要旨としている。
【０００８】
上記したベルトにおいて、半ベルトの先端側に設けられたストッパー部は、ベルト通しよりも大きい外径を有するバックル、または、ベルト通しに掛けるフックにより構成することが好ましい。
【０００９】
また、上記半ベルトの後端側に設けられた結合具は、ワンタッチバックルの雄雌が各々設けられたり、または、ズボンの後方側に形成されたベルト通しに掛けるフック、或いは、面ファスナーにより構成することが好ましい。
【発明の効果】
【００１０】
本発明のベルトは、ベルト通しに係止するためのストッパー部と結合具とを設けた２つの半ベルトによって構成しているので、結合具の部品点数が削減でき、コストを低減することが可能となる。さらに、ワンタッチバックル等の結合具を１個所で着脱するだけで着脱操作ができることから、操作性を良好にすることが可能となる。そして、ズボン前部に設けられた左右のベルト通しにそれぞれ挟む形で装着し、ベルト通し２点で引き合うことによりズボンのずり落ちを防止することができ、ズボン前部のボタンやジッパーの位置はベルトにより邪魔しないので、ズボンの着脱操作も容易にできる。
【発明を実施するための最良の形態】
【００１１】
ベルトは、一対の半ベルトによって構成される。半ベルトの先端側には、ズボンの前方に形成されたベルト通しに係止するためのストッパー部が設けられ、後端側には結合具が設けられている。さらに、上記ストッパー部と結合具との間に弾性ベルトが設けられている。そして、この半ベルトの上記ストッパー部をそれぞれ上記ベルト通しに係止し、上記半ベルの各後端側に設けられた上記結合具により上記ズボンの後方側で結合すると、上記ストッパー部と結合具との間を上記弾性ベルトの弾力により引き合うことにより上記ズボンに装着される。
【実施例１】
【００１２】
以下に、本発明を、その実施の形態を表す図面を参照しつつ詳しく説明する。図１は、本発明にかかるベルトの第１の実施例を示す斜視図である。図１に示すように、ベルトＢは、一対の半ベルト１，２によって構成されている。半ベルト１は、先端側に、ズボン１０の前方に形成されたベルト通し１１に係止するためのストッパー部３が設けられ、後端側には雄型のワンタッチバックルからなる結合具４が設けられている。さらに、ストッパー部３と結合具４との間には、扁平なゴム紐等からなる弾性ベルト５を連結している。一方、半ベルト２も半ベルト１と同様に、先端側に、ズボン１０の前方に形成されたベルト通し１２に係止するためのストッパー部６が設けられ、後端側には雌型のワンタッチバックルからなる結合具７が設けられている。さらに、ストッパー部６と結合具７との間には、弾性ベルト５と同様の弾性ベルト８が連結されている。また、半ベルト２の弾性ベルト８には、長さ調節を行うためのアジャスター９が設けられている。
【００１３】
ストッパー部３、６は、図２及び図３に示すように円盤状に形成され、外径寸法は、ズボン１０の前方に形成されたベルト通し１１、１２の長さよりも大きく形成されている。従って、ベルト通し１１、１２に弾性ベルト５、８を挿通してストッパー部３、６をベルト通し１１、１２に当接した状態では、ストッパー部３、６が係止するようにしている。
【００１４】
ストッパー部３、６と弾性ベルト５、８とは、図３に示すように、止着ピン１３，１４によって止着されている。弾性ベルト５、８は可撓性を有するので、ストッパー部３、６は弾性ベルト５、８に対して可動状態となっている。従って、ストッパー部３、６をベルト通し１１、１２に当接させるとき、弾性ベルト５、８とストッパー部３、６との間にベルト通し１１、１２を挟むように装着することができる。
【００１５】
次に、本発明からなるベルトの装着方法について説明する。まず、ズボン１０の前方に形成されたベルト通し１１、１２から、半ベルト１、２の結合具４、７側を各々挿通すると共に弾性ベルト５、８を順次他のベルト通しに挿通しながら、結合具４、７をズボン１０の後方のベルト通し１５、１６に挿通させ、さらに、ストッパー部３、６をベルト通し１１、１２に当接させる。そして、ズボン１０の後方に位置する結合具４の雄型のワンタッチバックルを結合具７の雌型のワンタッチバックルに挿入し、図４に示すように結合する。この結果、ズボン１０に一対の半ベルト１、２が装着される。このとき、ベルトの長さを調節するには、半ベルト１に設けられたアジャスター９の位置を変更することにより弾性ベルト８の長さが調整される。
【００１６】
このように、一対の半ベルト１、２をズボン１０に装着したときのウエスト寸法は、使用者の胴回り寸法よりもやや小さくなるように設定される。そして、使用者が装着した状態では、前後のベルト通し間を弾性ベルト５、８の弾力によって引き合うことにより、ズボンのずり落ちを防止することができる。また、ズボンの着脱は、ズボン前部のボタンやジッパーを開閉することにより行うことができる。このとき、ボタンやジッパーがストッパー部３、６の間に位置しているので、操作の邪魔をすることがなくズボンの着脱操作も容易にできる。
【実施例２】
【００１７】
図５乃至図７は、本発明の第２の実施例を示している。前述した図１とは、ストッパー部及び結合具が相違している。すなわち、第２の実施例におけるストッパー部は、図５及び図６に示すように、半ベルト１、２の先端側に、ズボン１０の前方に形成されたベルト通し１１に掛止するためのフック２０、２１を各々設けてストッパー部を構成している。フック２０、２１は男性を有する金属板、或いは合成樹脂によって形成され、図５に示すように、略Ｕ字状に屈曲され、一方側は半ベルト１、２の先端側に固着され、屈曲された他方側は一方側に近接するようように構成されている。そして、フック２０、２１の他方側をベルト通し１１、１２に掛止することにより、ストッパー部として機能させている。
【００１８】
一方、半ベルト１、２の後端側には、先端側に設けたフック２０、２１と同様に構成したフック２２、２３を各々設けて結合具を構成している。そして、図７に示すように、フック２２、２３の他方側をズボン１０の後方のベルト通し１５、１６に掛止することにより、結合具として機能させている。
【００１９】
次に、本発明の第２の実施例によるベルトの装着方法について説明する。まず、ズボン１０の前方に形成されたベルト通し１１、１２に、半ベルト１、２の先端側に設けたフック２０、２１を各々掛止すると共に後端側に設けたフック２２、２３各々挿通すると共に弾性ベルト５、８を順次他のベルト通しに挿通し、ズボン１０の後方のベルト通し１５、１６に後端側のフック２２、２３を掛止する。この結果、ズボン１０に一対の半ベルト１、２が装着される。このとき、ベルトの長さを調節するには、前述した第１の実施例と同様に、アジャスター９の位置を変更することにより弾性ベルト８の長さが調整される。なお、第２の実施例においては、半ベルト１、２に各々アジャスターを設けることが望ましい。また、半ベルト１、２の後端側は、前述した第１の実施例と同様に、半ベルト１、２の先端側に、雄型のワンタッチバックル、雌型のワンタッチバックルからなる結合具４を設けるようにしても良い。
【実施例３】
【００２０】
図８は、本発明の第３の実施例を示している。前述した図１とは、結合具が相違している。すなわち、第３の実施例における結合具３０は、図８に示すように、半ベルト１、２の後端側に、ル−プ面４０ａとフック面４０ｂからなる面ファスナー４０（マジックテープ：株式会社クラレの登録商標）が各々設けられ、結合具を構成している。
【００２１】
そして、前述した第１の実施例と同様に、まず、ズボン１０の前方に形成されたベルト通し１１、１２から、半ベルト１、２の結合具４０を各々挿通すると共に弾性ベルト５、８を順次他のベルト通しに挿通しながら、結合具４０をズボン１０の後方のベルト通し１５、１６に挿通させて、ストッパー部３、６をベルト通し１１、１２に当接させる。その後、ズボン１０の後方に位置する面ファスナー４０のル−プ面４０ａとフック面４０ｂを面接合することにより結合する。この結果、ズボン１０に一対の半ベルト１、２が装着される。なお、面ファスナー４０は、図８に示すように、ル−プ面４０ａを長尺に形成している。これにより、ベルトの長さを調節するときは、フック面４０ｂをル−プ面４０ａの適宜の位置に面接合すれば良い。また、ル−プ面４０ａをフック面４０ｂとほぼ同じ長さに形成した場合は、前述したように、アジャスター９の位置を変更すれば良い。
【実施例４】
【００２２】
図９は、本発明の第４の実施例を示している。すなわち、半ベルト１の後端には略四角形のリング状に形成された角カン５０を取り付け、また、半ベルト２の後端には面ファスナー５１を設けている。面ファスナー５１は、ル−プ面５１ａが端寸に形成され、フック面５１ｂを長尺に形成している。そして、半ベルト２の弾性ベルト８の後端を角カン５０に挿通させた後、弾性ベルト８の後端を折り返し、面ファスナー５１のル−プ面５１ａをフック面５１ｂに面接合して結合する。図９に示すように、面ファスナー５１のフック面５１ｂを長尺に形成して、ル−プ面５１ａを適宜の位置で接合することにより、ベルトの長さを調節することができる。なお、半ベルト１の後端には、略Ｄ字状に形成されたＤカンや、円形に形成された円カンに変更しても良い。
【００２３】
なお、本発明にかかるベルトは、上記実施例に限定されるものではなく、本発明を逸脱しない範囲で適宜に変更可能である。例えば、ストッパー部は、円盤状の限らず、三角形や四角形等の多角形、或いは、動物や植物等の形状等、任意の形状に変更しても良い。また、前述した半ベルトは、ほぼ同じ寸法に構成したが、結合具の位置を一方のストッパー部側に変位させて非対象に構成しても良い。また、結合具としては、ワンタッチバックルや面ファスナーの他に、スナップボタンを用いることもできる。
【図面の簡単な説明】
【００２４】
【図１】本発明にかかるベルトの第１の実施例を示す斜視図である。
【図２】図１に示したベルトをズボンに装着した状態を示す斜視図である。
【図３】図１に示したベルトのストッパー部を示す上面図である。
【図４】図１に示したベルトを結合具により結合した状態を示す斜視図である。
【図５】本発明にかかるベルトの第２の実施例を示す斜視図である。
【図６】図５に示したベルトのストッパー部を示す上面図である。
【図７】図５に示したベルトの結合具を示す上面図である。
【図８】本発明にかかるベルトの第３の実施例の要部を示す平面図である。
【図９】本発明にかかるベルトの第４の実施例の要部を示す平面図である。
【符号の説明】
【００２５】
１、２  半ベルト
３、６  ストッパー部
４、７  結合具
５、８  弾性ベルト
１０    ズボン
１１、１２  ベルト通し（前方側）
１５、１６  ベルト通し（後方側）
【図１】
2008095248.tif 000003
【図２】
2008095248.tif 000004
【図３】
2008095248.tif 000005
【図４】
2008095248.tif 000006
【図５】
2008095248.tif 000007
【図６】
2008095248.tif 000008
【図７】
2008095248.tif 000009
【図８】
2008095248.tif 000010
【図９】
2008095248.tif 000011